(57)【特許請求の範囲】
【請求項１】
注水口と排水口とを備えた袋体の中に通水体が内蔵されており、水が注水口から袋体を経て排水口へと循環する構造の家畜用水冷マットであり、前記通水体は、ゴム１００重量部にポリアミド短繊維２０〜４０重量部を含むフエルト状発泡ゴム弾性体であることを特徴とする家畜用水冷マット。
【請求項２】
前記袋体は、合成繊維製織布の裏面に熱可塑性樹脂シートが積層された２枚のほぼ同形のシートが、裏面同志で重合し、袋体の周縁部がシールされていることを特徴とする請求項1記載の家畜用家畜用水冷マット。
【請求項３】
前記家畜用水冷マットにおいて、マットの形状は矩形であり、矩形の相対する短辺には、注水口と排水口とが対向するように設けられていることを特徴とする請求項１記載の家畜用水冷マット。
【請求項４】
前記家畜用水冷マットにおいて、少なくとも１以上の仕切部が設けられて複数の区画を形成しており、前記仕切部には、互いに隣り合う区画に水が循環するように開口部が設けられていることを特徴とする請求項１記載の家畜用水冷マット。
【発明の詳細な説明】
【０００１】
【発明の属する技術分野】
本発明は畜産分野において、特に乳牛舎の夏場の環境を改善する為に床面に敷設されるクッション性のある家畜用水冷マットに関するものであるが、乳牛に限らず、他の家畜やペット等が暑さを凌ぐ為の家畜用水冷マットとして利用できるものである。
【０００２】
【従来の技術】
夏場の時期は牛舎内が暑くなり、牛が不快感を感じ、他の時期に比べて乳の出が悪くなる状況にある。これを改善する為、牛舎全体を冷房すれば良いが、設備には高額な費用がかかる為、大型の扇風機等で送風し暑さを凌いでいるが、外気温が高くなると冷却効果は少ない。
【０００３】
牛舎を冷房する方法として床面を冷却する方法が効果的であると考えられるが、牛舎の床は一般的にはコンクリート床の上に１５〜２０mmのゴム製のマットを敷いた状態であり、クッション性は考慮されているが、冷房性は考慮されていないのが現状である。
【０００４】
【課題を解決する為の手段】
本発明の家畜用水冷マットは、注水口と排水口とを備えた袋体の中に通水体が内蔵されており、水が注水口から袋体を経て排水口へと循環する構造の家畜用水冷マットであり、前記通水体は、ゴム１００重量部にポリアミド短繊維２０〜４０重量部を含むフエルト状発泡ゴム弾性体であることを特徴とする。
前記袋体は、合成繊維製織布の裏面に熱可塑性樹脂シートが積層された２枚のほぼ同形のシートが、裏面同志で重合し、袋体の周縁部がシールされていることを特徴とする。
【０００５】
【実施の形態】
本発明の家畜用水冷マットに使用する袋体には、柔軟性のある合成樹脂シートや布地に合成樹脂フイルムやゴムをコーティングしたり、合成樹脂フイルムやゴムを積層したシート等が使用される。上記合成樹脂としては、塩化ビニル，ポリエチレンポリアセテート，ポリビニルアルコール，ポリウレタン，ポリエステル，ナイロン，アクリル等が挙げられる。上記シートは高周波融着，熱融着又は接着剤による接着等によって接合されるが、上記合成樹脂としては、それらの接合性に適したものを用いることが好ましい。又、布地としては、平織，綾織等の布地の他に、不織布トリコット，ジャージ等の編み物も用いることができる。
【０００６】
本発明の家畜用水冷マットに内臓する通水体は、ゴム１００重量部にポリアミド短繊維を２０〜４０重量部含むフエルト状発泡ゴム弾性体であるので、多孔性を有しているので、通水性が良く、また、適度のクッション性も有する。この本発明の家畜用水冷マットは、牛舎用マットとして好適である。
【０００７】
前記フエルト状ゴム弾性体は、ゴム１００重量部に対し太さ１〜３０デニール，長さ２〜１０mmのポリアミド繊維，２０〜４０重量部，発泡剤所要重量部を含むゴム混和物を密閉モールドに充填し、加圧，加熱により成形加硫したものが使用される。ポリアミド繊維量はゴム１００重量部に対して２０〜４０重量部が最も良く、２０重量部未満であれば、全体がゴムスポンジ状となり通水性が低下する。又、ポリアミド繊維の量が４０重量部を超えるとゴムとポリアミド繊維間の間隙の数が多くなり、該間隙から加圧，加熱時に発泡剤によって生じたガスが外部に抜け、発泡率が低下し、密度が高くなり、所望の弾性が得られない。
【０００８】
注水口と排水口は上記袋体の周辺に設けられているが、管状部材を袋体の上部シートと下部シートの間に挟み込んで熱融着，接着，高周波，融着等の方法により接合させることができる。
又、図９に示すようなスカート部を有する管状部材を袋体の上部シートを切欠し、その切欠部へ挿入し、前記袋体の切欠部裏面と管状部材のスカート部上面とを同様な方法により接合することもできる。管状部材は、塩化ビニル，ポリエステル，ナイロン，ポリプロピレン等の樹脂により構成されたものが用いられるが、接合方法に適した樹脂により構成されたものを使用するのが好ましい。
【０００９】
家畜用水冷マットにおいて、マットの形状は矩形であり、矩形の相対する短辺には、注水口と排水口とが対向するように設けられていることを特徴とする。
家畜用水冷マットにおいて、少なくとも１以上の仕切部が設けられて複数の区画を形成しており、前記仕切部には、互いに隣り合う区画に水が循環するように開口部が設けられていることを特徴とする。
本発明の家畜用水冷マットは、注水口と排水口を有する袋体に弾性を有する通水体が内蔵されているが、袋体の中に冷却水が隅々まで流れるようにする為、通水可能な仕切り部で袋体内部が区分けされているのが好ましい。
又、本発明の家畜用水冷マットは注水時に袋体に内蔵されている通水体が動かないようにすることが必要であり、通水体が袋体内部において固着されていることが望ましい。通水体の固着方法は通水体と袋体内部の材質により接合性に適した方法が採られる。例えば通水体と袋体内部の材質が合成樹脂であれば、高周波，融着，熱融着により固着される。本発明の家畜用水冷マットの注水口と排水口とが相対向する側部に設けられているのが好ましい。又、注水口と排水口とが別々の区分け部にもうけられているのが好ましい。又、本発明の家畜用水冷マットを複数個隣接して並設して使用することもできる。
【００１０】
以下、本発明の家畜用水冷マットの実施形態を図面に基づいて説明する。
図１は注水口と排水口が袋体の間に設けられており、注水口と排水口は相対向する側部に設けられており、袋体の中には通水体が内蔵され、袋体の内部は仕切り部は設けられていない家畜用水冷マットを示すものである。
【００１１】
図２は注水口と排水口が袋体上部を切欠して設けられており、袋体内部は一つの仕切り部により二つに区分けされ、その区分け部には通水体がそれぞれ内蔵され、かつ、その仕切り部の一方の端部が通水可能となっており、これと対向する他の端部の袋体の側部に注水口と排水口とが設けられている家畜用水冷マットを示すものである。そして図３と図４はその拡大縦断面図を示すものである。
【００１２】
図５は注水口と排水口が袋体上部を切欠して設けられており、袋体内部は５つの通水可能な仕切り部により６つの区分け部に区分けされており、その区分け部にはそれぞれ通水体が内蔵され、かつ、その仕切り部は一方の端部２箇所で通水可能となっており、これと対向する他の端部の袋体の側部に注水口と排水口が設けられている家畜用水冷マットを示すものである。そして図６と図７は図５の拡大縦断面図である。
【００１３】
図８は袋体内部が２つの仕切り部により３つに区分けされており、その区分け部にはそれぞれ通水体が内蔵されている２つの家畜用水冷マットを並設し、１つのマットの排水口ともう１つのマットの注水口を連結した家畜用水冷マットを示すものである。
【００１４】
【実施例】
以下、実施例を図面に基づき説明する。
図２は本発明の家畜用水冷マットの一例として示し、該マット（１）は気密性シート（８），（９）の周縁部（７）及び仕切り部（６）が互いに接合された袋体（２）と、その袋体（２）の中に内蔵された通水体（３）と該マット（１）に設けられた注水口（４）と排水口（５）から構成されている。
【００１５】
袋体を作成する為に、ポリエステル製の織布の裏にＰＶＣ樹脂０．２m/mをラミネートした厚さが０．５mmの気密性シートを上面用と下面用２枚準備した。
【００１６】
【表１】
0003557318.tif 000002
【００１７】
実施例に使用する通気体を作成するにあたり、表１に示すゴム混練物を圧延し、所定の厚さにシーティングし、所定の長さ及び幅に裁断しモールドに入れ、モールド温度１２５〜１３０℃，プレス圧力３０kg/cm2，プレス時間４分の条件で加硫成形し、厚みが１０mmのフエルト状発泡ゴム弾性シートを作成した。
【００１８】
注水口と排水口は図７に示す様なスカート部を有する塩化ビニル樹脂製の管状部材を準備し、前記気密性シートの上面用の適宜個所を切欠し、この管状部材を切欠部に嵌合し、そのスカート部上面に切欠部の裏面周縁部を合わせ高周波ウエルダーにより押圧、接合することによりシールを行い取付けを行なった。
【００１９】
前記気密性シートの下面用シートと注水口と排水口を設けた上面用シートを裏面同志が合わさるように載置し、前記フエルト状発泡ゴム弾性シートを挟み込んでセットし、周縁部及び仕切り部を高周波ウエルダーにより押圧，接合することによりシールを行い、図２に示す本発明の家畜用水冷マットを作成した。
【００２０】
〈家畜用水冷マットの冷却効果の確認〉
実施例の家畜用水冷マット冷却水を流した場合の冷却効果を調べる為に、牛の体温に近い４１℃の雰囲気に設定した部屋にマットを放置し、マットの通水前と通水後におけるマットの表面温度を測定することにより調査した。通水量は水道水を７００ml／分の流量で流し、表面温度の測定場所はマットの４隅４カ所で測定し、その温度を平均した。温度の測定は通水しない場合と通水した場合について初期，１時間後，２時間後と測定し下記の結果を得た。
0003557318.tif 000003
この結果を見るとわかるように、本発明の家畜用水冷マットは雰囲気温度が牛の体温と同じであっても約５℃低い温度に保つことができ、冷房効果が顕著に認められた。
【発明の効果】
【００２１】
本発明の家畜用水冷マットは、注水口と排水口を有する袋体に通水性の良い弾性シートが内蔵されたマットであり、そのマットにはマットを仕切る仕切り部が設けられ、その仕切り部には隣接する区画を連通するように開口部を有しているので、冷却水を注水口より入れてマットの各区画に導き、排水口より排出する場合、冷却水が全体に行き届き、効果的にマットを冷却することができる。
【００２２】
又、上記マットには通水性の良い弾性シートが内蔵されているので、牛が横たえた場合においても床材としてのクッション性も良く、冷房効果に加えて心地良いクッション性を付与することができ、牛の夏場のストレス解消に効果を発揮する。
【図面の簡単な説明】
【図１】本発明の家畜用水冷マットの斜視図。
【図２】本発明の別の家畜用水冷マットの斜視図。
【図３】図２のＡ−Ａ線に沿う拡大縦断面図。
【図４】図２のＢ−Ｂ線に沿う拡大縦断面図。
【図５】本発明の別の家畜用水冷マットの平面図。
【図６】図５のＣ−Ｃ線に沿う拡大縦断面図。
【図７】図５のＤ−Ｄ線に沿う拡大縦断面図。
【図８】本発明の家畜用水冷マットを並設した家畜用水冷マットの平面図。
【図９】本発明の注水口又は排水口の斜視図。
【符号の説明】
１  家畜用水冷マット
２  袋体
３  通水体
４  注水口
５  排水口
６  仕切り部
７  周縁部
８  気密性シート（上面）
９  気密性シート（下面）
10  連結部
【図１】
0003557318.tif 000004
【図２】
0003557318.tif 000005
【図３】
0003557318.tif 000006
【図４】
0003557318.tif 000007
【図５】
0003557318.tif 000008
【図６】
0003557318.tif 000009
【図７】
0003557318.tif 000010
【図８】
0003557318.tif 000011
【図９】
0003557318.tif 000012